(57)【要約】【課題】  スペックルノイズを十分に低減することのできるレーザ光源装置、および、投射画面におけるスペックルノイズの視認が確実に低減された投影画像が得られると共に、レーザ光源装置の故障率が低減された画像投影装置を提供すること。【解決手段】  このレーザ光源装置は、複数のレーザ光出射部を具えたレーザ光源と、レーザ光出射部の各々を順次に１５Ｈｚ以上の点灯繰り返し周波数でパルス状に点灯させる点灯制御手段と、レーザ光源から出射されるレーザ光を集光して出射する光学部材とを具えてなり、レーザ光出射部の各々から出射されるレーザ光が光学部材の光軸上の同一の位置に集光される構成とされている。画像投影装置は、上記レーザ光源装置と、光軸が反射機構の回転中心軸に一致し、かつ、光入射面が第二の反射鏡による反射光の集光位置に配置されたインテグレータとを具えてなる。【選択図】  図１
2013057786.tif 000002
【特許請求の範囲】
【請求項１】
複数のレーザ光出射部を具えたレーザ光源と、前記レーザ光出射部の各々を順次に１５Ｈｚ以上の点灯繰り返し周波数でパルス状に点灯させる点灯制御手段と、前記レーザ光源から出射されるレーザ光を集光して出射する光学部材とを具えてなり、
前記レーザ光出射部の各々から出射されるレーザ光が前記光学部材の光軸上の同一の位置に集光されることを特徴とするレーザ光源装置。
【請求項２】
前記レーザ光出射部は、前記レーザ光源から出射されるレーザ光の光軸に沿って延びる軸と垂直な同一平面上に並ぶよう複数配置されていることを特徴とする請求項１に記載のレーザ光源装置。
【請求項３】
前記レーザ光出射部は、当該レーザ光出射部から出射されるレーザ光の光軸に沿って延びる軸を中心とする同一円周上の位置に並ぶよう複数配置されていることを特徴とする請求項２に記載のレーザ光源装置。
【請求項４】
前記レーザ光源は、赤色のレーザ光を出射する赤色レーザ光源と、青色のレーザ光を出射する青色レーザ光源と、緑色のレーザ光を出射する緑色レーザ光源とを含み、
前記点灯制御手段が、当該赤色レーザ光源、当該青色レーザ光源および当該緑色レーザ光源の各々に対応して設けられていることを特徴とする請求項１乃至請求項３のいずれかに記載のレーザ光源装置。
【請求項５】
前記レーザ光出射部の各々は、レーザ素子と当該レーザ素子から出射されたレーザ光の広がり角を制御するコリメータレンズにより構成されていることを特徴とする請求項１乃至請求項４のいずれかに記載のレーザ光源装置。
【請求項６】
請求項１乃至請求項５のいずれかに記載のレーザ光源装置と、当該レーザ光源装置より入射されるレーザ光を均一な強度の光として出射するインテグレータとを具えており、
前記インテグレータは、光軸が当該レーザ光源装置における前記光学部材の光軸に一致し、かつ、光入射面が当該レーザ光源装置から出射されるレーザ光が集光される位置に配置されていることを特徴とする画像投影装置。
【発明の詳細な説明】
【技術分野】
【０００１】
本発明は、レーザ光源装置、および、当該レーザ光源装置を具えた例えばプロジェクタ装置等の画像投影装置に関する。
【背景技術】
【０００２】
現在、例えば、液晶パネルやＤＭＤ（登録商標）素子を用いた画像投影装置としてプロジェクタ装置が広く用いられているが、近年においては、プロジェクタ装置に用いられる光源として、レーザ光を利用する技術の開発が進められている。
【０００３】
しかしながら、プロジェクタ装置における光源としてレーザ光源装置が用いられる場合には、スクリーン上において、『スペックルノイズ』と称される、ギラギラとしたチラツキが生ずることが観測される。この現象は、コヒーレント光であるレーザ光をスクリーン等に投射して映像光を観測すると、位相の合った光が干渉して観測者の網膜上に光量の強弱が生じることで発生するものである。
【０００４】
スペックルノイズを低減する方法としては、これまでに種々の方法が提案されている。  例えば、特許文献１の特許第４３７９４８２号公報には、レーザ光源から出射されるレーザ光の光路を変換して重畳照明素子に入射させる光路変換手段を移動手段によって移動させてレーザ光源装置からインテグレータに至る光路を時間的に変化させることによりスペックルノイズを低減させる方法が記載されている。
【先行技術文献】
【特許文献】
【０００５】
【特許文献１】特許第４３７９４８２号公報
【発明の概要】
【発明が解決しようとする課題】
【０００６】
しかしながら、特許文献１に記載の方法では、スペックル低減手段としての光路変換手段を機械的に駆動させることが必要となり、レーザ光源装置自体が大型化すると共に、駆動部の耐久性がレーザ光源の寿命に比べて短く、レーザ光源装置の故障率を高める原因となる、といった問題がある。
【０００７】
本発明は、以上のような事情に基づいてなされたものであり、スペックルノイズを十分に低減することのできるレーザ光源装置、および、投射画面におけるスペックルノイズの視認が確実に低減された投影画像が得られると共に、レーザ光源装置の故障率が低減された画像投影装置を提供することを目的とする。
【課題を解決するための手段】
【０００８】
本発明のレーザ光源装置は、複数のレーザ光出射部を具えたレーザ光源と、前記レーザ光出射部の各々を順次に１５Ｈｚ以上の点灯繰り返し周波数でパルス状に点灯させる点灯制御手段と、前記レーザ光源から出射されるレーザ光を集光して出射する光学部材とを具えてなり、
前記レーザ光出射部の各々から出射されるレーザ光が前記光学部材の光軸上の同一の位置に集光されることを特徴とする。
【０００９】
本発明のレーザ光源装置においては、前記レーザ光出射部は、前記レーザ光源から出射されるレーザ光の光軸に沿って延びる軸と垂直な同一平面上に並ぶよう複数配置された構成とすることができる。また、前記レーザ光出射部は、当該レーザ光出射部から出射されるレーザ光の光軸に沿って延びる軸を中心とする同一円周上の位置に並ぶよう配置された構成とされていることが好ましい。
【００１０】
また、本発明のレーザ光源装置においては、前記レーザ光源は、赤色のレーザ光を出射する赤色レーザ光源と、青色のレーザ光を出射する青色レーザ光源と、緑色のレーザ光を出射する緑色レーザ光源とを含み、
前記点灯制御手段が、当該赤色レーザ光源、当該青色レーザ光源および当該緑色レーザ光源の各々に対応して設けられた構成とされていることが好ましい。
【００１１】
さらにまた、本発明のレーザ光源装置においては、前記レーザ光出射部の各々は、レーザ素子と当該レーザ素子から出射されたレーザ光の広がり角を制御するコリメータレンズにより構成されたものとすることができる。
【００１２】
本発明の画像投影装置は、上記のレーザ光源装置と、当該レーザ光源装置より入射されるレーザ光を均一な強度の光として出射するインテグレータとを具えており、
前記インテグレータは、光軸が当該レーザ光源装置における前記光学部材の光軸に一致し、かつ、光入射面が当該レーザ光源装置から出射されるレーザ光が集光される位置に配置されていることを特徴とする。
【発明の効果】
【００１３】
本発明のレーザ光源装置によれば、レーザ光源における複数のレーザ光出射部の各々が、点灯制御手段によって、順次に所定のサイクルでパルス状に点灯されると共に、レーザ光出射部の各々から出射されるレーザ光が光学部材によって当該光学部材の光軸上の同一の位置に集光される構成とされていることにより、出射されるレーザ光は、集光位置に対して入射方向が時間的に変化されることとなる。これにより、当該レーザ光源装置から出射されるレーザ光による干渉パターンの位置が時間的にずれること（互いに異なる複数種の干渉パターンが重ね合わせられること）により干渉パターンが平均化されるので、スペックルノイズを確実に低滅することができる。また、機械的駆動機構を有さないので、レーザ光源装置の故障率を低減することができる。
【００１４】
従って、上記レーザ光源装置を具えた投影装置によれば、投射画面におけるスペックルノイズの視認が確実に低減され、しかも、レーザ光源装置からインテグレータまでの光学的な距離が一定の大きさとなる構成を採ることもできるので、インテグレータでの光の補足率が時間的に変化することがなく、明るさの変化が低減された投影画像を得ることができる。
【図面の簡単な説明】
【００１５】
【図１】本発明の画像投影装置に係るプロジェクタ装置の一例における構成の概略を示す説明図である。
【図２】図１に示すプロジェクタ装置におけるレーザ光源装置を構成するレーザ光源の一例における構成の概略を示す、（Ａ）平面図、（Ｂ）（Ａ）におけるＡ−Ａ線断面図である。
【図３】図２に示すレーザ光源の点灯方法を説明するための観念図である。
【図４】図２に示すレーザ光源の点灯制御方法を示すタイミングチャート図である。
【図５】本発明のレーザ光源装置におけるレーザ光源の他の構成例を示す、（Ａ）平面図、（Ｂ）（Ａ）におけるＡ−Ａ線断面図である。
【図６】本発明のレーザ光源装置におけるレーザ光源のさらに他の構成例を示す、（Ａ）平面図、（Ｂ）（Ａ）におけるＡ−Ａ線断面図である。
【図７】本発明のレーザ光源装置におけるレーザ光源のさらに他の構成例を示す、（Ａ）平面図、（Ｂ）（Ａ）におけるＡ−Ａ線断面図である。
【発明を実施するための形態】
【００１６】
以下、本発明の実施の形態について詳細に説明する。
図１は、本発明の画像投影装置に係るプロジェクタ装置の一例における構成の概略を示す説明図である。
このプロジェクタ装置は、レーザ光源装置１０と、レーザ光源装置１０から入射されるレーザ光を均一な強度の光として出射するロッド状のインテグレータ５０と、インテグレータ５０から出射されるレーザ光の広がり角を制御してＤＭＤ（登録商標）などの空間変調素子５２に入射させるコリメータレンズ５１と、空間変調素子５２において変調されて形成された映像光をスクリーンＳ上に拡大投射する投射レンズ５３とを備えている。コリメータレンズ５１は、その光軸がインテグレータ５０の光軸ＣI と一致する状態で配置されている。
【００１７】
レーザ光源装置１０は、複数のレーザ光源を備えたレーザ光出射機構２０と、各々のレーザ光源に対応する複数の電源２６Ａ，２６Ｂ，２６Ｃおよび複数の点灯制御手段２７Ａ，２７Ｂ，２７Ｃと、レーザ光出射機構２０から出射されるレーザ光を集光してインテグレータ５０の光入射面５０Ａに入射させる例えば凸レンズよりなる集光レンズ１５とを備えている。集光レンズ１５は、その光軸がインテグレータ５０の光軸ＣI と一致する状態で配置されている。
【００１８】
レーザ光出射機構２０は、青色レーザ光（波長４６０ｎｍ）を出射する青色レーザ光源２１Ａ，緑色レーザ光（波長５３０ｎｍ）を出射する緑色レーザ光源２１Ｂおよび赤色レーザ光（例えば波長６４０ｎｍ）を出射する赤色レーザ光源２１Ｃと、各々のレーザ光源２１Ａ，２１Ｂ，２１Ｃの光出射方向前方側の位置に配置された、互いに波長選択特性の異なる板状の第１のダイクロイックミラー２８Ａ，板状の第２のダイクロイックミラー２８Ｂおよび板状の第３のダイクロイックミラー２８Ｃとを備えている。
各々のレーザ光源２１Ａ，２１Ｂ，２１Ｃは、例えば、出射されるレーザ光の光軸が互いに平行に延びるよう、配置されており、各々のダイクロイックミラー２８Ａ，２８Ｂ，２８Ｃは、光出射面がレーザ光源２１Ａ，２１Ｂ，２１Ｃから出射されるレーザ光の光軸に対して傾斜した状態で、インテグレータレンズ５０の光軸方向に互いに平行に並ぶよう配置されている。
【００１９】
青色レーザ光源２１Ａは、図２に示すように、平板状の支持基板２５を具えており、この支持基板２５における、当該支持基板２５に垂直に延びる軸（以下、「レーザ光源の光軸」という。）ＣL を中心とする同一円周上の周方向に等間隔毎に並んだ位置に、複数（この例においては９つ）のレーザ光出射部２２Ａ〜２２Ｉが配置されている。
各々のレーザ光出射部２２Ａ〜２２Ｉは、例えば半導体レーザ素子よりなるレーザ素子２３およびこのレーザ素子２３から出射されたレーザ光の広がり角を制御するコリメータレンズ２４により構成されており、各々のレーザ光出射部２２Ａ〜２２Ｉからのレーザ光が例えばレーザ光源の光軸ＣL と平行に出射される。
この青色レーザ光源２１Ａは、レーザ光源の光軸ＣL がインテグレータ５０の光軸ＣI と直交し、レーザ光源の光軸ＣL が第１のダイクロイックミラー２８Ａの光出射面と交差する位置と、インテグレータ５０の光軸ＣI が第３のダイクロイックミラー２８Ｃの光出射面と交差する位置とが一致する状態で、配置されている。
【００２０】
青色レーザ光源２１Ａに係る点灯制御手段２７Ａは、各々のレーザ光出射部２２Ａ〜２２Ｉのレーザ素子２３に対する電源２６Ａよりの給電動作をＯＮ／ＯＦＦ制御することによりレーザ光出射部２２Ａ〜２２Ｉのレーザ素子２３の各々を順次にパルス状に点灯させる機能を有する。
一のレーザ素子２３の繰り返し点灯周波数ｆは１５Ｈｚ以上、例えば１００Ｈｚとされる（図４参照）。この理由は、次のとおりである。すなわち、所定の時間の間に、スクリーンＳ上において表示される干渉パターン（スペックルパターン）の種類の数が多くなるほど、観測者によってスペックルノイズを認識されにくくすることができるが、一般に、人間の目の視認速度はおよそ１／１５秒（１５Ｈｚ）程度とされているので、レーザ光源におけるレーザ素子２３の数との関係において、一のレーザ素子２３の繰り返し点灯周波数を１５Ｈｚ以上、すなわち人間の目の視認速度以上の点灯繰り返し周波数で点灯させれば、スクリーンＳ上においてスペックルノイズが視認されることを確実に防止することができるためである。一方、繰り返し点灯周波数が１５Ｈｚよりも小さい場合には、観測者はそれよりも少ないパターン（例えば本実施例のように９個のレーザ素子では、６種類程度）しか足し合わせられず、干渉パターンを平均化する数が少ないため、使用するレーザ素子の数に対して十分な効果を得ることができない。
また、一のレーザ素子２３の点灯状態保持時間は長くとも１／３０秒とされる。例えば、２個のレーザ素子を繰り返し点灯周波数１５Ｈｚで交互に点灯させる場合に、１/ ３０秒間点灯状態を保持するとスペックルノイズ低減効果が得られる。
【００２１】
この例においては、緑色レーザ光源２１Ｂおよび赤色レーザ光源２１Ｃは、青色レーザ光源２１Ａと同一の構成を有し、緑色レーザ光源２１Ｂは、レーザ光源の光軸ＣL がインテグレータ５０の光軸ＣI と直交し、レーザ光源の光軸ＣL が第２のダイクロイックミラー２８Ｂの光出射面と交差する位置と、インテグレータ５０の光軸ＣI が第２のダイクロイックミラー２８Ｃの光出射面と交差する位置とが一致する状態で、配置されており、赤色レーザ光源２１Ｃは、レーザ光源の光軸ＣL がインテグレータ５０の光軸ＣI と直交し、レーザ光源の光軸ＣL が第３のダイクロイックミラー２８Ｃの光出射面と交差する位置と、インテグレータ５０の光軸ＣI が第３のダイクロイックミラー２８Ｃの光出射面と交差する位置とが一致する状態で、配置されている。
また、緑色レーザ光源２１Ｂに係る点灯制御手段２７Ｂおよび赤色レーザ光源２１Ｃに係る点灯制御手段２７Ｃについても、青色レーザ光源２１Ａに係る点灯制御手段２７Ａと同一の構成を有している。
【００２２】
上記のプロジェクタ装置においては、レーザ光源装置１０におけるレーザ光出射機構２０から出射されたレーザ光が集光レンズ１５によって集光されてインテグレータ５０の光入射面５０Ａに入射される。具体的に説明すると、レーザ光出射機構２０における青色レーザ光源２１Ａにおいては、図３（Ａ）および図４（Ａ）に示すように、第１のレーザ光出射部２２Ａのレーザ素子２３に対する電源２６Ａよりの給電動作がＯＮ／ＯＦＦ制御されることにより第１のレーザ光出射部２２Ａのレーザ素子２３がパルス状に点灯される。次いで、図３（Ｂ）および図４（Ｂ）に示すように、第１のレーザ光出射部２２Ａのレーザ素子２３に対する給電がＯＦＦされて消灯されるのと同時に第２のレーザ光出射部２２Ｂのレーザ素子２３が点灯されるよう、第２のレーザ光出射部２２Ｂのレーザ素子２３に対する電源２６Ａよりの給電動作がＯＮ／ＯＦＦ制御されることにより第２のレーザ光出射部２２Ｂのレーザ素子２３がパルス状に点灯される。そして、第３のレーザ光出射部２２Ｃ〜第８のレーザ光出射部２２Ｈの各々についても、第１のレーザ光出射部２２Ａおよび第２のレーザ光出射部２２Ｂと同様に、順次にレーザ素子２３がパルス状に点灯され、その後、図３（Ｉ）および図４（Ｉ）に示すように、第８のレーザ光出射部２２Ｈのレーザ素子２３に対する給電がＯＦＦされて消灯されるのと同時に（図４（Ｈ））第９のレーザ光出射部２２Ｉのレーザ素子２３が点灯されるよう、第９のレーザ光出射部２２Ｉのレーザ素子２３に対する電源２６Ａよりの給電動作がＯＮ／ＯＦＦ制御されることにより第９のレーザ光出射部２２Ｉのレーザ素子２３がパルス状に点灯される。このように、各々のレーザ光出射部２２Ａ〜２２Ｉのレーザ素子２３に対する電源２６Ａよりの給電動作が点灯制御手段によってＯＮ／ＯＦＦ制御されることにより各々のレーザ光出射部２２Ａ〜２２Ｉのレーザ素子２３が順次にパルス状に点灯される。この例においては、図４（Ｊ）に示すように、各々のレーザ光出射部２２Ａ〜２２Ｉにおけるレーザ素子２３による光パルスが時間的に連続し、青色レーザ光源２１全体として一定の出力が得られるよう各々のレーザ光出射部２２Ａ〜２２Ｉのレーザ素子２３が点灯制御される。
また、緑色レーザ光源２１Ｂおよび赤色レーザ光源２１Ｃにおいても、点灯制御手段２７Ｂ，２７Ｃによって青色レーザ光源２１と同様の点灯制御が行われる。ここに、各々のレーザ光源２１Ａ，２１Ｂ，２１Ｃにおいては、インテグレータ５０に対するレーザ光の入射方向が互いに同一である位置のレーザ光出射部におけるレーザ素子２３が必ずしも同時に点灯される必要はない。
【００２３】
そして、青色レーザ光源２１Ａから出射された青色レーザ光が第１のダイクロイックミラー２８Ａにより反射され、その反射光が第２のダイクロイックミラー２８Ｂを透過した透過光に、緑色レーザ光源２１Ｂから出射された緑色レーザ光が第２のダイクロイックミラー２８Ｂにより反射された反射光が合成され、さらに、第２のダイクロイックミラー２８Ｂによって合成された青色レーザ光と緑色レーザ光の合成光が第３のダイクロイックミラー２８Ｃを透過した透過光に、赤色レーザ光源２１Ｃから出射された赤色レーザ光が第３のダイクロイックミラー２８Ｃにより反射された反射光が合成されて出射される。
【００２４】
レーザ光出射機構２０から出射された光（図１において二点鎖線で示す。）は、集光レンズ１５によって、インテグレータ５０の光入射面５０Ａに対する入射角度が例えば一定の大きさに維持されると共に、インテグレータ５０の光入射面５０Ａに対する入射方向のみが経時的に変化される状態で、インテグレータ５０の光入射面５０Ａにおける光軸ＣI 上の位置に集光されて入射される。
そして、インテグレータ５０によって強度が均一化されたレーザ光は、インテグレータ５０に対する入射角と同一の出射角で出射され、空間変調素子５２によって変調されることにより形成された映像光が投射レンズ５３を介してスクリーンＳに拡大投射される。
【００２５】
而して、上記構成のレーザ光源装置１０によれば、各々のレーザ光源２１Ａ，２１Ｂ，２１Ｃにおける同一平面内に位置された複数のレーザ光出射部２２Ａ〜２２Ｉの各々が点灯制御手段２７Ａ，２７Ｂ，２７Ｃによって順次に所定のサイクルでパルス状に点灯されると共に、レーザ光出射部２２Ａ〜２２Ｉの各々から出射されるレーザ光が集光レンズ１５によって当該集光レンズ１５の光軸ＣI 上の同一の位置に集光される構成とされていることにより、各々のレーザ光源２１Ａ，２１Ｂ，２１Ｃから出射されるレーザ光は、集光位置に対する入射方向が時間的に変化されてインテグレータ５０の光入射面５０Ａに入射されることとなる。これにより、スクリーンＳ上に形成される干渉パターンの位置が時間的にずれること（互いに異なる複数種の干渉パターンが重ね合わせられること）により干渉パターンが平均化されるので、スペックルノイズを確実に低滅することできる。また、機械的駆動機構を有さないので、装置の故障率を低減することができる。
【００２６】
従って、上記レーザ光源装置１０を具えたプロジェクタ装置によれば、スクリーンＳにおけるスペックルノイズの視認が確実に低減され、しかも、機械的駆動機構を有さないので、装置の故障率を低減することができる。
【００２７】
以上、本発明の一実施形態について説明したが、本発明は上記の実施形態に限定されるものではなく、種々の変更を加えることができる。
例えば、青色レーザ光源、緑色レーザ光源および赤色レーザ光源のすべてが上記の実施形態に係る構成（点灯制御手段を具えた構成）を有している必要はなく、少なくとも一のレーザ光源が上記の実施形態に係る構成を有していれば、スペックルノイズ低減効果を得ることができる。
また、レーザ光源は、各々のレーザ素子の光パルスが時間的に連続するよう点灯制御される必要は必ずしもない。
さらにまた、レーザ光源の構成は上記実施の形態に係るものに限定されず、例えばレーザ光出射部の数（レーザ素子の数）は２個以上であればよく、光源が同一平面上に設置される必要はない。
【００２８】
さらにまた、図５に示すように、レーザ光源２１は、複数のレーザ光出射部２２が平板状の支持基板２５における、当該支持基板２５に垂直に延びる軸（レーザ光源の光軸）ＣL を中心とする互いに異なる円周上の位置であって、互いに等角度間隔毎に離間して並んだ位置に配置された構成のものとされていてもよい。このレーザ光源２１においては、各々異なる円周上に位置される隣接する２つのレーザ光出射部２２が一のグループとされ、各グループ２２１〜２２９毎に順次にレーザ素子２３が所定の点灯繰り返し周波数（１５Ｈｚ以上）でパルス状に点灯される。このようなレーザ光源２１が用いられた構成のものにおいては、上記のスペックル低減効果を一層確実に得ることができると共に、レーザ光を高い強度で出射することができる。
【００２９】
さらにまた、図６に示すように、レーザ光源２１は、複数（この例においては９つ）のレーザ光出射部２２Ａ〜２２Ｉが二次元的にアレイ状に（縦横に並んで）配置された構成のものとされていてもよい。このレーザ光源２１においては、レーザ光出射部２２Ａ〜２２Ｉの各々から出射されるレーザ光の、インテグレータの光入射面に対する入射角が例えば０°〜２５°の範囲内の大きさとされる。
このようなレーザ光源２１を具えた構成のものにおいても、図２に示す構成のレーザ光源と同様に、各々のレーザ光出射部２２Ａ〜２２Ｉのレーザ素子２３に対する電源２６Ａよりの給電動作が点灯制御手段によってＯＮ／ＯＦＦ制御されることにより各々のレーザ光出射部２２Ａ〜２２Ｉのレーザ素子２３が順次にパルス状に点灯され、例えば各々のレーザ光出射部２２Ａ〜２２Ｉにおけるレーザ素子２３による光パルスが時間的に連続し、レーザ光源２１全体として一定の出力が得られるよう各々のレーザ光出射部２２Ａ〜２２Ｉのレーザ素子２３が点灯制御されることにより、上記の実施形態に係るものと同様の効果が得られる。
このような構成のレーザ光源２１においても、図７に示すように、一方向、例えば横方向（縦方向であってもよい）に並ぶ３つのレーザ光出射部が一のグループとされ、各グループ２２１〜２２３毎に順次にレーザ素子２３が所定の点灯繰り返し周波数（１５Ｈｚ以上）でパルス状に点灯されるよう構成されていてもよい。
【符号の説明】
【００３０】
１０  レーザ光源装置
１５  集光レンズ
２０  レーザ光出射機構
２１  レーザ光源
２１Ａ  青色レーザ光源
２１Ｂ  緑色レーザ光源
２１Ｃ  赤色レーザ光源
２２，２２Ａ〜２２Ｉ  レーザ光出射部
２２１〜２２９  グループ
２３  レーザ素子
２４  コリメータレンズ
２５  支持基板
２６Ａ，２６Ｂ，２６Ｃ  電源
２７Ａ，２７Ｂ，２７Ｃ  点灯制御手段
２８Ａ  第１のダイクロイックミラー
２８Ｂ  第２のダイクロイックミラー
２８Ｃ  第３のダイクロイックミラー
５０  インテグレータ
５０Ａ  光入射面
５１  コリメータレンズ
５２  空間変調素子
５３  投射レンズ
ＣL   レーザ光源の光軸
ＣI   インテグレータの光軸
Ｓ  スクリーン
【図１】
2013057786.tif 000003
【図２】
2013057786.tif 000004
【図３】
2013057786.tif 000005
【図４】
2013057786.tif 000006
【図５】
2013057786.tif 000007
【図６】
2013057786.tif 000008
【図７】
2013057786.tif 000009